(57)【要約】      （修正有）【課題】昇降対象から突出する障害物が大径であっても、また昇降対象自体が大径であっても墜落防止を担保した上で良好に障害物をかわして円滑な昇降を行える安全帯を提供する。【解決手段】作業者の胴部に装着する角環６およびＤ環７がバックル２側の部分とその反対側の部分にそれぞれ固定されているベルト部Ｉと、本ロープ８の先端に連結された連結用フック９および本ロープ８の途中に挿通される角環６に連結するための連結用フック１１が一体的に形成されている伸縮調節器１０を有する本ロープ部IIと、Ｄ環７に連結するための２箇の連結用フック１５，１６がそれぞれの先端部に接続された２本のアダプタロープ１２，１３、各アダプタロープ１２，１３の基端部が接続される本ロープ部８の連結用フック９に連結される連結リング１４を有するアダプタロープ部IIIとを有する。【選択図】図１
2012090695.tif 000002
【特許請求の範囲】
【請求項１】
昇降対象に対する昇降作業の際に作業者の胴部に装着するとともに環状部材がバックル側の部分とその反対側の部分にそれぞれ固定されているベルト部と、
昇降作業に際し作業者の体重を支える胴綱となる本ロープ、本ロープの先端に連結された連結用フックおよび本ロープの途中に挿通されるとともに前記環状部材の一方に連結するための連結用フックが一体的に形成されている伸縮調節器を有する本ロープ部と、
前記環状部材の他方に連結するための２箇の連結用フックがそれぞれの先端部に接続された２本のアダプタロープ、各アダプタロープの基端部が接続されるとともに前記本ロープ部の連結用フックに連結される連結リングを有するアダプタロープ部とを有することを特徴とする安全帯。
【請求項２】
請求項１に記載する安全帯において、
前記アダプタロープ部の各連結用フックの近傍に互いに反対側のアダプタロープに連結された各連結用フックをそれぞれ係止するフックを設けたことを特徴とする安全帯。
【請求項３】
請求項１または請求項２に記載する安全帯において、
前記アダプタロープ部は、先端に前記連結リングが接続されるとともに、基端部に前記本ロープ部の連結用フックに連結される連結リングが接続されたロープで形成した長さ調整部を有することを特徴とする安全帯。
【請求項４】
請求項１に記載する安全帯のベルト部を作業者の胴部に装着するとともに、アダプタロープ部の一方のアダプタロープの先端に連結されている一方の連結用フックを前記ベルト部に配設した環状部材の一方に連結させて作業者の体重を前記一方のアダプタロープに支持させつつ昇降対象に昇降する際、
前記昇降に伴い昇降方向に対して突出する障害物の近傍で他方のアダプタロープを前記障害物の下方から上方または上方から下方に回して前記他方のアダプタロープの先端に連結されている他方の連結用フックを前記環状部材の一方に連結させ、
その後前記一方の連結用フックを前記環状部材の一方から取り外して前記他方のアダプタロープで作業者の体重を支持しつつ昇降を継続することを特徴とする安全帯を用いた昇降方法。
【請求項５】
請求項２に記載する安全帯のベルト部を作業者の胴部に装着するとともに、アダプタロープ部の一方のアダプタロープの先端に連結されている一方の連結用フックを前記ベルト部に配設した環状部材の一方に連結させて作業者の体重を前記一方のアダプタロープに支持させつつ昇降対象物に昇降する際、
前記昇降に伴い昇降方向に対して突出する障害物の近傍で前記一方のアダプタロープ側の一方のフックに係止されている他方の連結用フックを取外し、他方のアダプタロープを前記障害物の下方から上方または上方から下方に回して前記障害物をかわして他方の連結用フックを前記環状部材に連結させ、
その後一方の連結用フックを前記環状部材から取り外すとともに前記一方のアダプタロープを前記一方の連結用フックとともに前記障害物の下方から上方または上方から下方に回して前記障害物を回避させた後、前記一方の連結用フックを前記他方のアダプタロープ側の他方のフックに係止させて前記他方のアダプタロープで作業者の体重を支持しつつ昇降を継続することを特徴とする安全帯を用いた昇降方法。
【発明の詳細な説明】
【技術分野】
【０００１】
本発明は安全帯およびこれを用いた昇降方法に関し、特に昇降方向に対し枝等の障害物が突出している樹木等の昇降に適用して有用なものである。
【背景技術】
【０００２】
一般に、電柱、鉄塔、樹木等を昇降して所定の作業を行う場合、墜落を防止して安全に作業を進めるため、作業者は、通常昇降用の安全帯を装着している。かかる安全帯としては、図５に示すように、環体０７および伸縮調節器０３０を有するベルト０１と、環体０７に係合する本フック０１１を有する胴綱であるロープ０１０とを有しており、ロープ０１０に挿通してある伸縮調節器０３０で昇降対象（電柱等）の径に合わせてロープ０１０の長さを調整するように構成したものが汎用されている。
【０００３】
昇降を伴う所定の作業の際には、作業者の胴部に締付けたベルト０１の環体０７に本フック０１１を係合し、ロープ０１０を電柱Ａ等の昇降対象の外周に巻付け、その先端部を伸縮調節器０３０のロープ挿通部に挿通してロープ０１０を電柱Ａの外周に巻付くＵ字形の状態に保持し、この状態で作業者の体重をロープ０１０に支持させつつ昇柱、あるいは下降している。かくして、ロープ０１０と電柱用ステップＢとの係合によって作業者の落下を防止している。
【０００４】
かかる安全帯を使用した昇降作業においては、図６に示すように、電柱Ａの途中に看板等の障害物Ｃがあった場合、環体０７から本フック０１１を外し、障害物Ｃの上にロープ０１０を通して本フック０１１を環体０７に再度係合する必要がある。このため、本フック０１１の掛け替え時、一時的に安全帯の墜落防止機能が発揮されず、きわめて危険な状態となる。
【０００５】
かかる問題を解決するため、障害物を回避するためのロープの掛け替え時にも作業者の体重を継続して支持して昇降作業の安全性を担保し得るように工夫した提案がなされている（例えば、特許文献１および特許文献２参照）。
【０００６】
これらのうち、特許文献１では、柱上安全帯に連結された補助ロープの先端の補助フックを電柱の外周に沿わせた胴綱の途中の連結具に係合可能に構成している。そして、障害物をかわす際には補助ロープの先端の補助フックを胴綱の連結具に連結することにより補助ロープと胴綱とでＵ字形のつり状態を形成し、その後胴綱の先端の本フックを柱上安全帯の環体から外す。すなわち、作業者の体重は、一時的に補助ロープおよび補助フックを介して支え、障害物をかわした後、再度本フックを介して胴綱で支えるようになっている（例えば特許文献１の段落〔００２５〕参照）。
【０００７】
特許文献２は、外締めベルトに途中を連結されたロープの両端部に本フックと補助フックの２個のフックを連結しておき、本フックおよび補助フックの何れもが外締めベルトと一体となった結合装置に連結し得るように構成してある。かくして、本フックを結合装置に連結してＵ字状のつり状態を形成して昇降中に障害物に昇降を妨げられた場合、補助フックが連結された側のロープで障害物をかわして補助フックを結合装置に連結し、その後本フックと結合装置との連結状態を解除することで安全な昇降作業を担保する。
【先行技術文献】
【特許文献】
【０００８】
【特許文献１】実開平５−２８３５４号公報
【特許文献２】特開平８−１４１０９７号公報
【発明の概要】
【発明が解決しようとする課題】
【０００９】
上記従来技術のうち、特許文献１に開示する電柱用昇降安全具では、作業者の胴部に装着した安全帯側から補助ロープを繰り出して胴綱の途中に配設した小型チャックの連結リングに補助ロープの先端に連結した補助フックを係止して障害物をかわしている。したがって、障害物を挟んで胴綱の反対側に掛け回した補助ロープを、補助フックを胴綱と一体となっている連結リングに係止させて補助ロープを胴綱に連結する必要がある。このとき、胴綱には作業者の体重がかかっている。すなわち、障害物に対し胴綱の反対側から補助フックを作業者の体重がかかった胴綱側に回して連結リングに係止させるという作業が必要になる。かかる作業は、障害物が電柱に装着された看板の細い支柱等である場合には然程問題とはならない場合があるが、障害物が樹木の枝等の場合、枝の径が大きくなった場合には非常に困難を伴う作業となる。この結果、フックの掛け違いによる墜落の危険性が懸念される事態を生起する。
【００１０】
一方、特許文献２では、本フックと補助フックとがロープの両端部に連結してあり、ロープの途中を作業者の胴部に装着する外締めベルトに連結しているので、障害物をかわす際には補助フックが連結された側のロープを、障害物の外周を一周させた補助フックを結合装置に連結する必要がある。このため、昇降対象が電柱等、その径が比較的小さい場合には適用できるが、径が大きい樹木等の場合には、補助フックを結合装置に連結する際のロープのかけ回し作業が困難になる場合がある。
【００１１】
本発明は、上記従来技術の問題点に鑑み、昇降対象から突出する障害物が樹木の枝等、大径であっても、また昇降対象自体が大径の樹木等であっても墜落防止の手当ては担保した上で良好に障害物をかわして円滑な昇降を行い得る安全帯およびこれを用いた昇降方法を提供することを目的とする。
【課題を解決するための手段】
【００１２】
本発明の第１の態様は、昇降対象に対する昇降作業の際に作業者の胴部に装着するとともに環状部材がバックル側の部分とその反対側の部分にそれぞれ固定されているベルト部と、昇降作業に際し作業者の体重を支える胴綱となる本ロープ、本ロープの先端に連結された連結用フックおよび本ロープの途中に挿通されるとともに前記環状部材の一方に連結するための連結用フックが一体的に形成されている伸縮調節器を有する本ロープ部と、前記環状部材の他方に連結するための２箇の連結用フックがそれぞれの先端部に接続された２本のアダプタロープ、各アダプタロープの基端部が接続されるとともに前記本ロープ部の連結用フックに連結される連結リングを有するアダプタロープ部とを有することを特徴とする安全帯にある。
【００１３】
本発明の第２の態様は、第１の態様に記載する安全帯において、前記アダプタロープ部の各連結用フックの近傍に互いに反対側のアダプタロープに連結された各連結用フックをそれぞれ係止するフックを設けたことを特徴とする安全帯にある。
【００１４】
本発明の第３の態様は、第１または第２の態様に記載する安全帯において、前記アダプタロープ部は、先端に前記連結リングが接続されるとともに、基端部に前記本ロープ部の連結用フックに連結される連結リングが接続されたロープで形成した長さ調整部を有することを特徴とする安全帯にある。
【００１５】
本発明の第４の態様は、第１の態様に記載する安全帯のベルト部を作業者の胴部に装着するとともに、アダプタロープ部の一方のアダプタロープの先端に連結されている一方の連結用フックを前記ベルト部に配設した環状部材の一方に連結させて作業者の体重を前記一方のアダプタロープに支持させつつ昇降対象に昇降する際、前記昇降に伴い昇降方向に対して突出する障害物の近傍で他方のアダプタロープを前記障害物の下方から上方または上方から下方に回して前記他方のアダプタロープの先端に連結されている他方の連結用フックを前記環状部材の一方に連結させ、その後前記一方の連結用フックを前記環状部材の一方から取り外して前記他方のアダプタロープで作業者の体重を支持しつつ昇降を継続することを特徴とする安全帯を用いた昇降方法にある。
【００１６】
本発明の第５の態様は、第２の態様に記載する安全帯のベルト部を作業者の胴部に装着するとともに、アダプタロープ部の一方のアダプタロープの先端に連結されている一方の連結用フックを前記ベルト部に配設した環状部材の一方に連結させて作業者の体重を前記一方のアダプタロープに支持させつつ昇降対象物に昇降する際、前記昇降に伴い昇降方向に対して突出する障害物の近傍で前記一方のアダプタロープ側の一方のフックに係止されている他方の連結用フックを取外し、他方のアダプタロープを前記障害物の下方から上方または上方から下方に回して前記障害物をかわして他方の連結用フックを前記環状部材に連結させ、その後一方の連結用フックを前記環状部材から取り外すとともに前記一方のアダプタロープを前記一方の連結用フックとともに前記障害物の下方から上方または上方から下方に回して前記障害物を回避させた後、前記一方の連結用フックを前記他方のアダプタロープ側の他方のフックに係止させて前記他方のアダプタロープで作業者の体重を支持しつつ昇降を継続することを特徴とする安全帯を用いた昇降方法にある。
【発明の効果】
【００１７】
本発明によれば、２本のアダプタロープのうちの一方のアダプタロープとこれに接続された一方の連結用フックを使用して昇降している際に、昇降対象から突出する障害物の部位にさしかかった時点で、他方のアダプタロープで障害物をかわし、他方のアダプタロープの先端部の他方の連結用フックをベルト部の環状部材に連結することで障害物を挟んで上下でアダプタロープにより作業者の体重を支えることができる。かかる状態で一方のアダプタロープを前記環状部材から取り外しているので、作業員は少なくとも一本のアダプタロープでは常に体重を支えられているので、障害物の部位におけるアダプタロープの掛け替えの際に墜落する虞はない。かかる状態で環状部材から取り外した一方のアダプタロープも容易に障害物を回避させることができる。
【００１８】
このように、全ての回避作業を作業員側の環状部材に対する一方または他方の連結用フックの着脱により行うことができるので、この回避作業を効率よく、容易に行うことができる。
【図面の簡単な説明】
【００１９】
【図１】本発明の実施の形態に係る安全帯を示す正面図である。
【図２】本発明の実施の形態に係る安全帯のアダプタロープの他の態様を示す正面図である。
【図３】本発明の実施の形態に係る安全帯を用いて樹木を昇降する場合における障害物である枝をかわす場合の態様を示す説明図である。
【図４】本発明の実施の形態に係る安全帯を用いて樹木を昇降する場合における障害物である枝をかわす場合の態様を示す説明図である。
【図５】従来技術に係る安全帯を使用時の態様で示す斜視図である。
【図６】図５に示す安全帯を用いた従来の昇降時の態様を示す説明図である。
【発明を実施するための形態】
【００２０】
以下、本発明の実施の形態を図面に基づき詳細に説明する。
【００２１】
図１に示すように、本形態に係る安全帯はベルト部Ｉ、本ロープ部IIおよびアダプタロープ部IIIからなる。
【００２２】
ベルト部Ｉは、例えば図５に示す既存の安全帯と同一の構成のもので、胴当ベルト１と、一端にバックル２が連結された外締めベルト３とを有している。ここで、外締めベルト３はベルト押え４を介して胴当ベルト１と一体になっており、胴当ベルト１を作業者（図１には図示せず）の腰部に当接させた状態でバックル２に外締めベルト３の先端部を挿通させ、さらにベルト通し５を挿通させて留めることにより、昇降作業を行う作業者の胴部に装着するようになっている。また、外締めベルト３には、環状部材である角環６およびＤ環７が固定してある。ここで、角環６は外締めベルト３のバックル２側（図中左側）の部分に、またＤ環７はバックル２とは反対側（図中右側）の部分に配設してある。
【００２３】
本ロープ部IIは、昇降作業に際し作業者の体重を支える胴綱となる本ロープ８と、本ロープ８の先端に連結された連結用フック９と、本ロープ８の途中に挿通されている伸縮調節器１０とを有している。伸縮調節器１０には他の部材（本形態では角環６）に連結するための連結用フック１１が一体的に形成してある。
【００２４】
アダプタロープ部IIIは、２本のアダプタロープ１２，１３、連結リング１４および連結用フック１５，１６を有している。アダプタロープ１２，１３は、各基端部が連結リング１４に連結されるとともに、各先端部に連結用フック１５，１６がそれぞれ連結されている。連結用フック１５，１６の部分にはフック１７，１８が設けてある。フック１７は連結用フック１６を係止するため、またフック１８は連結用フック１５を係止するためのものである。
【００２５】
かかる安全帯の使用時には伸縮調節器１０の連結用フック１１をベルト部Ｉの角環６に連結するとともにアダプタロープ部IIIの連結リング１４を本ロープ８の先端の連結用フック９に連結する。かかる状態でベルト部Ｉを作業者の胴部に装着するとともに、連結リング１４を介して一体となったアダプタロープ部IIIおよび本ロープ８を昇降対象（樹木、電柱等）の外周に沿わせ角環６に対して作業者の反対側に回したアダプタロープ１２，１３の先端の何れか一方の連結用フック１５または１６をＤ環７に連結させる。かかる状態で本ロープ８および何れか一方のアダプタロープ１２または１３が昇降対象の外周にＵ字形状をなすように巻掛けられる。この結果、作業者の体重は本ロープ８および何れか一方のアダプタロープ１２または１３を介して昇降対象で支持し得る状態となる。かかる状態で所定の昇降作業を行う。この際、Ｄ環７に連結されていない他方のアダプタロープ１３または１２は他方の連結用フック１６または１５を介してフック１７または１８に係止される。このようにフック１７，１８を設けて連結用フック１６，１５を係止するように構成することは必須ではない。ただ、フック１７，１８を設けることにより昇降に使用しない（作業者の体重を支持していない）アダプタロープ１３，１２が連結リング１４の部分から下方に垂れ下がるのを防止することができ、その分作業性を良好に保持することができる。
【００２６】
また、実際の昇降作業の際には昇降対象から突出する障害物（樹木の枝等）をかわしながら昇降を行う必要があるが、障害物をかわす場合の態様に関しては後に詳述する。
【００２７】
図２は本形態に係る安全帯のアダプタロープの他の態様を示す正面図である。なお、図１のアダプタロープ部IIIと同一部分には同一番号を付し、重複する説明は省略する。図２に示すように、本態様に係るアダプタロープ部IVは長さ調整部Ｖを有する。長さ調整部Ｖは連結リング１４と連結リング２０との間を所定長の長さ調整用のロープ１９で繋いで形成してある。ここで、ロープ１９の長さを適宜選定することによりアダプタロープ部IVの全体の長さ（連結リング２０と連結用フック１５、１６との間の距離）を調整することができる。アダプタロープ部IVでは連結リング２０が連結用フック９に連結される。したがって、本態様のアダプタロープ部IVを利用すれば昇降対象が大径の場合にも良好に対処し得る。
【００２８】
図３および図４は、本形態に係る安全帯を使用して樹木（昇降対象）を昇降する際の枝（障害物）を回避する場合の態様を概念的に示す説明図である。同図に示すように、枝Ｅは昇降方向に対して樹木Ｄから突出している障害物である。また、図では作業者Ｆが樹木Ｄを登る場合の態様を示している。
【００２９】
先ず、図３（ａ）に示すように、アダプタロープ１２（図中に実線で示す。以下同じ。）および本ロープ８（図３および図４には図示せず。以下同じ。）を利用して樹木Ｄを昇ってきた作業者Ｆが枝Ｅの近傍位置に達したとき、フック１７に係止してある連結用フック１６を外す。このときアダプタロープ１２，１３は枝Ｅの下方にある。かかる状態から図３（ａ）中に点線の矢印で示すように、連結用フック１６と一体となったアダプタロープ１３を枝Ｅの下方から上方に回し、アダプタロープ１３のみを枝Ｅの上方を通して連結用フック１６をＤ環７に連結させる。この結果、図３（ｂ）に示す状態となる。
【００３０】
図３（ｂ）に示す状態ではアダプタロープ１２が枝Ｅの下方を通り、またアダプタロープ１３が枝Ｅの上方を通って連結用フック１５，１６が何れもＤ環７に連結された状態となる。したがって、作業者Ｆの体重はアダプタロープ１２，１３の両方で支持する状態となる。かかる状態でＤ環７から連結用フック１５を外す。このように連結用フック１５を外してもアダプタロープ１３が作業者Ｆの体重を支えているので、墜落の虞はない。かかる状態から図３（ｂ）中に実線の矢印で示すように、連結用フック１５と一体となったアダプタロープ１２を枝Ｅの下方から上方に回し、アダプタロープ１２も枝Ｅの上方を通す。その後アダプタロープ１２の先端の連結用フック１５を連結用フック１６側のフック１８に係止させる。この結果、図４（ａ）に示す状態となり、枝Ｅを完全にかわすことができる。
【００３１】
かかる状態から図４（ｂ）に示すように、今度はアダプタロープ１３と本ロープ８（図１参照）とを用いて樹木Ｄでの上昇を継続する。
【００３２】
一方、同様の態様で枝Ｅをかわしながら樹木Ｄを下降するができる。ただ、下降する場合は、枝Ｅの上方から下方にアダプタロープ１３，１２および連結用フック１６，１５を回り込ませる点が異なる。
【産業上の利用可能性】
【００３３】
本発明は樹木、鉄塔，電柱等に昇降して行う作業を伴う産業分野において利用することができる。
【符号の説明】
【００３４】
Ｄ          樹木（昇降対象）
Ｅ          枝（障害物）
Ｆ          作業者
Ｉ          ベルト部
II          本ロープ部
III，IV     アダプタロープ部
Ｖ          長さ調整部
６          角環（環状部材）
９          連結用フック
１０          伸縮調節器
１１          連結用フック
１２，１３    アダプタロープ
１４          連結リング
１５，１６    連結用フック
１７，１８    フック
１９          ロープ
２０          連結リング
【図１】
2012090695.tif 000003
【図２】
2012090695.tif 000004
【図３】
2012090695.tif 000005
【図４】
2012090695.tif 000006
【図５】
2012090695.tif 000007
【図６】
2012090695.tif 000008